(57)【要約】【課題】本発明は、２次元コードの外観の意匠性が高く、かつ２次元コードの情報読取精度を向上させることができる２次元コード作成システムおよび２次元コード印刷媒体の提供を課題とする。【解決手段】文字や数字などの情報がセルの分布パターンで表現された２次元コード画像（Ｃ）に、写真、絵、文字、あるいは記号、またはそれらの組み合わせからなるイラスト画像（Ｉ）が重なるように表示される。そして、イラスト画像（Ｉ）の一部分の濃度が、人の目には認識できるが読取装置には機械認識できない程度の濃度に調整され、当該濃度を調整した部分に２次元コードのセルの分布パターンが追加表示される。【選択図】図１
2009042826.tif 000002
【特許請求の範囲】
【請求項１】
文字や数字などの情報がセルの分布パターンで表現された２次元コード画像を生成する２次元コード画像生成手段と、
写真、絵、文字、あるいは記号、またはそれらの組み合わせからなるイラスト画像を生成するイラスト画像生成手段と、
前記２次元コード画像生成手段により生成された２次元コード画像と、前記イラスト画像生成手段により生成されたイラスト画像とを重ねるように合成する画像合成手段とを備える２次元コード作成システムであって、
前記イラスト画像の一部分の濃度を、人の目には認識できるが読取装置には機械認識できない程度の濃度に調整する濃度調整手段と、
当該濃度を調整した部分に２次元コードのセルの分布パターンを追加表示するセル追加表示手段とを有することを特徴とする２次元コード作成システム。
【請求項２】
前記濃度調整手段は、前記イラスト画像の一部分の濃度を、２次元コード画像の濃いセルの濃度に対して１％〜４５％となるように調整するものとなされている請求項１に記載の２次元コード作成システム。
【請求項３】
前記イラスト画像の元となる写真、絵、文字、あるいは記号、またはそれらの組み合わせからなる元データをグレースケールに変換するグレースケール変換手段と、該グレースケール変換手段により変換された元データをモノクロ２階調に変換する２階調変換手段と、該２階調変換手段により変換された元データをデフォルメ等の補正を行う画像補正手段とを有する請求項１または請求項２に記載の２次元コード作成システム。
【請求項４】
前記２次元コード画像と前記イラスト画像を重ねるように合成した画像をカラー変換するカラー変換手段を有する請求項１ないし請求項３のいずれかに記載の２元コード作成システム。
【請求項５】
前記イラスト画像の各部分について複数のレイヤーを作成するレイヤー作成手段を有する請求項１ないし請求項４のいずれかに記載の２次元コード作成システム。
【請求項６】
文字や数字などの情報がセルの分布パターンで表現された２次元コード画像に、写真、絵、文字、あるいは記号、またはそれらの組み合わせからなるイラスト画像が重なるように表示された２次元コード印刷媒体であって、
前記イラスト画像の一部分の濃度が、人の目には認識できるが読取装置には機械認識できない程度の濃度に調整され、当該濃度を調整した部分に２次元コードのセルの分布パターンが追加表示されていることを特徴とする２次元コード印刷媒体。
【請求項７】
前記イラスト画像の一部分の濃度が、２次元コード画像の濃いセルの濃度に対して１％〜４５％となるように調整されている請求項６に記載の２次元コード印刷媒体。
【発明の詳細な説明】
【技術分野】
【０００１】
本発明は、文字や数字などのデータが２次元の図形パターンで表現された２次元コードを作成する２次元コード作成システムおよび２次元コード印刷媒体に関する。
【背景技術】
【０００２】
近年、バー（黒い線）とスペース（白または印字していない部分）と呼ぶ縞模様のパターンに、数字やその他の文字・記号を置き換えたバーコードに代わって、２次元コードが多く使用されるようになっている。
【０００３】
この２次元コードとは、文字や数字などのデータが２次元の図形パターンで表現されたものである。２次元コードはバーコードを拡張して２次元の図形で表現することにより、従来よりも多くの情報を正確に刻印する技術である。２次元コードは記録密度(面積あたりの情報量)がバーコードの２０〜１００倍もあり、小さなパターンで多くの情報を表現することができる。記録できる情報量も、バーコードは英数字２０文字程度だが、２次元コードは数千文字を記録でき、また、英数字だけでなくカナや漢字などを表現することもできる。データに冗長性を持たせて多少の汚損があっても正確にデータを復元できるようにした方式や、３６０度どの向きからも読み取れるようにした方式もある。最近では、携帯電話のカメラによって、商品や印刷物に表示された２次元バーコードを撮影し、そのまま所定のＵＲＬにアクセスすることも行われている。
【０００４】
ところが、この２次元コードは、上述のように多くの情報を記録することができるが、人間の見た目には黒色のセル（黒セル）と白色のセル（白セル）からなる単調なもので、外観の意匠性は高くないものであった。
【０００５】
そこで、２次元コードの外観の意匠性を高めるために、様々な２次元コードが提案されている。例えば、第１の方向において所定の画像を視認可能な状態とする第１画像部と、第２の方向において２次元コードを視認可能な状態とする第２画像部とを備え、第１画像部は、物体の表面にキャラクタ画像などを表示することで形成され、第２画像部は、第１の方向における光の反射を許容し、かつ第２の方向における光の反射を制限することで第２の方向において２次元コードを視認可能な状態とする光反射制限部材により形成されるものがある（特許文献１参照）。
【０００６】
また、収録内容が視覚上認識不可能な２次元コードでありながら、コードを表記する同領域内に該２次元コードに関する情報を視覚的に認識できるよう多重表記手段によって表記したものがある（特許文献２参照）
【０００７】
また、レイヤーに画像を読み込み、指定位置に指定大きさで配置し、レイヤーに入力文字を２次元コード化した画像を生成し、指定位置に指定大きさで配列して着色し、レイヤーにイラスト画像を生成し、レイヤーの前後関係・透明度を設定して画像を合成して、２次元コードの黒セルは黒セル着色パレットから選択された色で着色し、白セルは白セル着色パレットから選択された色で着色するものがある（特許文献３参照）。
【０００８】
【特許文献１】特開２００６−１１０８８８号公報
【特許文献２】特開２００５−３３２１１２号公報
【特許文献３】特開２００５−３１６９７２号公報
【発明の開示】
【発明が解決しようとする課題】
【０００９】
しかしながら、いずれの２元コードについてもイラスト画像が存在する分、２次元コードのセル分布の領域が小さくなるため、２次元コードを読み取りにくい場合があるという問題があった。
【００１０】
本発明は、上述の問題に鑑みてなされたものであって、イラスト画像が付された２次元コードにおいて当該２次元コードの情報読取精度を向上させることができ、さらに２次元コードの外観の意匠性を向上させることができる２次元コード作成システムおよび２次元コード印刷媒体の提供を課題とする。
【課題を解決するための手段】
【００１１】
本発明は、上記課題を解決するために、文字や数字などの情報がセルの分布パターンで表現された２次元コード画像を生成する２次元コード画像生成手段と、写真、絵、文字、あるいは記号、またはそれらの組み合わせからなるイラスト画像を生成するイラスト画像生成手段と、前記２次元コード画像生成手段により生成された２次元コード画像と、前記イラスト画像生成手段により生成されたイラスト画像とを重ねるように合成する画像合成手段とを備える２次元コード作成システムであって、前記イラスト画像の一部分の濃度を、人の目には認識できるが読取装置には機械認識できない程度の濃度に調整する濃度調整手段と、当該濃度を調整した部分に２次元コードのセルの分布パターンを追加表示するセル追加表示手段とを有することを特徴とする。
【００１２】
これによれば、イラスト画像の濃度調整した部分は人の目に認識されるが、読取装置に機械認識されなくなり、読取装置では当該濃度調整した部分のイラスト画像が存在しないものとしてみなされる。そして、当該濃度調整した部分にセルの分布パターンが追加表示されることにより２次元コード画像におけるセルの分布パターンの領域が大きくなる。このため、人の目にはイラスト画像の全てが認識されながらも、２次元コードの情報読取精度を向上させることができる。しかも、イラスト画像における色の濃淡によりメリハリが生じるので、さらに２次元コードの外観の意匠性を向上することができる。
【００１３】
また、前記濃度調整手段は、前記イラスト画像の一部分の濃度を、２次元コード画像の濃いセルの濃度に対して１％〜４５％となるように調整するものとなされているのが好ましい。これによればイラスト画像の濃度調整した部分は人の目に認識されるが、読取装置に機械認識されなくなり、読取装置では当該濃度調整した部分のイラスト画像が存在しないものとしてみなされることがより一層確実に行うことが可能となる。
【００１４】
また、イラスト画像の元となる写真、絵、文字、あるいは記号、またはそれらの組み合わせからなる元データをグレースケールに変換するグレースケール変換手段と、該グレースケール変換手段により変換された元データをモノクロ２階調に変換する２階調変換手段と、該２階調変換手段により変換された元データをデフォルメ等の補正を行う画像補正手段とを有するのが好ましい。これにより人の目に認識しやすいイラスト画像を２次元コード画像上に表示させることができる。
【００１５】
また、前記画像合成手段は、前記２次元コード画像と前記イラスト画像を合成した画像をカラー変換するカラー変換手段を有するのが好ましい。これによれば、２次元コード画像およびイラスト画像がカラーになるため、外観の意匠性をさらに向上させることができる。
【００１６】
また、前記画像合成手段は、前記イラスト画像の各部分について複数のレイヤーを作成するレイヤー作成手段を有するのが好ましい。これによれば、イラスト画像の各部を分けて合成することができ、各レイヤーごとに色彩や濃度を変えることが可能となる
【００１７】
また、本発明に係る２次元コード印刷媒体は、文字や数字などの情報がセルの分布パターンで表現された２次元コード画像に、写真、絵、文字、あるいは記号、またはそれらの組み合わせからなるイラスト画像が重なるように表示された２次元コード印刷媒体であって、前記イラスト画像の一部分の濃度が、人の目には認識できるが読取装置には機械認識できない程度の濃度に調整され、当該濃度を調整した部分に２次元コードのセルの分布パターンが追加表示されていることを特徴とする。
【００１８】
また、前記２次元コード印刷媒体は、前記イラスト画像の一部分の濃度が、２次元コード画像の濃いセルの濃度に対して１％〜４５％となるように調整されているがより好ましい。
【発明の効果】
【００１９】
本発明に係る２次元コード作成システム又は２次元コード印刷媒体によれば、イラスト画像の濃度調整した部分は人の目に認識されるが、読取装置に機械認識されなくなり、読取装置では当該濃度調整した部分のイラスト画像が存在しないものとしてみなされる。そして、当該濃度調整した部分にセルの分布パターンが追加表示されることにより２次元コード画像におけるセルの分布パターンの領域が大きくなる。このため、人の目にはイラスト画像の全てが認識されながらも、２次元コードの情報読取精度を向上させることができる。しかも、イラスト画像における色の濃淡によりメリハリが生じるので、さらに２次元コードの外観の意匠性を向上することができる。
【発明を実施するための最良の形態】
【００２０】
次に本発明の一実施形態について説明する。
【００２１】
図１は、本実施形態に係る２次元コード作成システム１００の構成概略図である。
【００２２】
本システム１００は、２次元コード画像（Ｃ）を生成する２次元コード画像生成部（１）と、イラスト画像（Ｉ）を生成するイラスト画像生成部（２）と、２次元コード画像（Ｃ）とイラスト画像（Ｉ）とを合成する画像合成部（３）と、イラスト画像（Ｉ）の領域を調整するイラスト画像領域調整部（４）と、２次元コード画像（Ｃ）およびイラスト画像（Ｉ）などを表示する表示部（５）と、２次元コード画像（Ｃ）およびイラスト画像（Ｉ）などを印刷するプリント部（６）とを備えてなる。
【００２３】
なお、２次元コード画像生成部（１）、イラスト画像生成部（２）、画像合成部（３）、イラスト画像領域調整部（４）は中央演算処理装置（ＣＰＵ）により構成されるものであり、ＲＯＭ（Read Only Memory）やハードディスクに記憶されたサーバプログラムを実行する。また、このサーバプログラムは、記憶媒体に記憶されたものをコンピュータにインストールしたり、あるいはネットワークを介して送信されてきたものをコンピュータにダウンロードしてもよい。記憶媒体は、例えば光磁気ディスク、デジタルビデオディスク、コンパクトディスク、フロッピー（登録商標）ディスクなどがある。
【００２４】
前記２次元コード画像生成部（１）は、２次元コード画像（Ｃ）を生成するものである。この２次元コード画像（Ｃ）は、図５に示すように、文字や数字などの情報が濃いセル（本実施形態では黒セル）と薄いセル（本実施形態では白セル）の分布パターンで表現されたものである。２次元コードには、大きく２つに分けてマトリックス体系とマルチロー体系がある。マルチロー体系の２次元コードは、「ＰＤＦ４１７」に代表されるように、１次元コード（バーコード）を縦方向に数段重ねたものである。一方、マトリックス系の２次元コードは、正方形又は長方形の白セルと黒セルが縦方向と横方向の２次元に並んだものであり、中でも「ＱＲコード」と呼ばれるものが知られている。ＱＲコードは、大容量、高密度を追求したマトリックス系の２次元コードである。一般的に２次元コードは、１次元コード（バーコード）に比べて扱う画像データが非常に多いために処理時間がかかり、処理内容も複雑化している。そこで、通常のマトリックス体系の２次元コードの特徴に加えて、弱点であった読み取り性能を追求し読み取りやすさを実現し、漢字を扱えるようにしたのがＱＲコードである。本発明では、このＱＲコードに代表されるようなマトリックス体系の２次元コードの画像が好適に使用される。
【００２５】
前記イラスト画像生成部（２）は、写真、絵、文字、あるいは記号、またはそれらの組み合わせからなるイラスト画像（Ｉ）を生成するものである。例えば、図５に示すように、イラスト画像（Ｉ）には、芸能人の容姿についての写真や絵、企業のキャッチコピーからなる文字、企業のロゴ、あるいは２次元コードの情報の内容を示す文字や記号などが挙げられる。このイラスト画像（Ｉ）の元なるデータは、スキャナ等の画像読取装置により読み取ったもの、描画用ソフトウェアにより作成したもの、あるいはインターネットからダウンロードしたものであってもよい。
【００２６】
本実施形態では、前記イラスト画像生成部（２）は、イラスト画像（Ｉ）の元となる写真、絵、文字、あるいは記号、またはそれらの組み合わせからなる元データをグレースケールに変換するグレースケール変換部（２１）と、該グレースケール変換部（２１）により変換された元データをモノクロ２階調に変換する２階調変換部（２２）と、該２階調変換部（２２）により変換された元データをデフォルメ等の補正を行う画像補正部（２３）の機能を備える。これによりイラスト画像（Ｉ）をより鮮明かつ明確なものにすることができ、２次元コード画像（Ｃ）と合成した際に人の目に認識しやすくなる。
【００２７】
前記画像合成部（３）は、前記２次元コード画像生成部（１）により生成された２次元コード画像（Ｃ）と、前記イラスト画像生成部（２）により生成されたイラスト画像（Ｉ）とを重ねるように合成するものである。この画像合成部（３）は、図５に示すように、一般的には前記２次元コード画像（Ｃ）上の所定位置に前記イラスト画像（Ｉ）の全領域を重ねるように合成するが、イラスト画像の一部領域のみを重ねるように合成してもよい。
【００２８】
本実施形態では、前記画像合成部（３）は、前記２次元コード画像（Ｃ）と前記イラスト画像（Ｉ）を合成したものをカラー変換するカラー変換部（３１）の機能を有する。これにより、２次元コード画像（Ｃ）およびイラスト画像（Ｉ）がカラーになるため、外観の意匠性をさらに向上させることができる。
【００２９】
また、前記画像合成部（３）は、前記イラスト画像（Ｉ）の各部分について複数のレイヤーを作成するレイヤー作成部（３２）の機能を有する。例えば、図６に示すように、イラスト画像（Ｉ）の顔部分について第１レイヤー（Ｉ１）を作成するとともに、イラスト画像（Ｉ）の髪部分の第２レイヤー（Ｉ２）を作成する。これにより、イラスト画像（Ｉ）の顔部分と髪部分を分けて合成することができ、各レイヤーごとに色彩や濃度を調整することが可能となる。
【００３０】
また、前記画像合成部（３）は、前記イラスト画像の一部分の濃度を、人の目には認識できるが読取装置には機械認識できない程度の濃度に調整する濃度調整部（３３）と、当該濃度を調整した部分に２次元コードのセルの分布パターンを追加表示するセル追加表示部（３４）とを有する。なお、本実施形態では、濃度調整部（３３）とセル追加表示部（３４）とが画像合成部（３）に含まれるものとしたが、いずれも画像合成部（３）とは別に設けるものとしてもよい。
【００３１】
前記濃度調整部（３３）において、人の目には認識できるが読取装置には機械認識できない程度の濃度に調整する方法としては、例えば図７に示すように、イラスト画像（Ｉ）の髪部分の第２レイヤー（Ｉ２）についての濃度を、２次元コード画像の濃いセル（黒セル）に対して１％〜４５％にすることが挙げられる。
【００３２】
このように上記濃度の数値を４５％以下としたのは以下の理由による。すなわち、上記濃度の数値を４６％〜５０％にした場合であっても、理論上は読み取り時に当該部分には画像が存在しないと機械認識されるはずだが、読み取り条件によっては当該部分にも画像が存在すると機械認識されるおそれがある。このため、確実に当該部分に画像がないと機械認識させて読み取りの信頼性を向上させるために、上記濃度を４５％以下にした。一方、上記濃度を０％とすると、当該部分が白色となって画像が全く人の目に認識されないことになるので、上記濃度は少なくとも１％以上、画像を人の目さらに認識しやすくするために好ましくは１０％〜３０％とするのがよい。
なお、上記濃度については、これに限定されるものではなく、例えば黄色や黄緑色などの色であれば、上記％以上の濃度であっても読取装置では機械認識されない場合がある。
【００３３】
而して、イラスト画像（Ｉ）の濃度調整した部分は人の目に認識されるが、読取装置に機械認識されなくなり、読取装置では当該濃度調整した部分のイラスト画像（Ｉ）が存在しないものとしてみなされる。そして、当該濃度調整した部分にセルの分布パターンが追加表示されることにより２次元コード画像（Ｃ）におけるセルの分布パターンの領域が大きくなる。このため、人の目にはイラスト画像（Ｉ）の全てが認識されながらも、２次元コード画像（Ｃ）の情報読取精度を向上させることができる。しかも、イラスト画像（Ｉ）における色の濃淡によりメリハリが生じるので、さらに２次元コードの外観の意匠性を向上することができる。
【００３４】
前記イラスト画像領域調整部（４）は、２次元コード画像（Ｃ）とイラスト画像（Ｉ）の重なっている部分が２次元コード画像の全領に対してイラスト画像の領域を調整するものである。例えば、イラスト画像（Ｉ）の領域が大きい場合には、１０〜３０％となるように縮小調整することが挙げられる。但し、イラスト画像領域調整部（４）は、イラスト画像（Ｉ）の領域が適度な大きさである場合には調整しなくてもよい。したがって、システムによってはイラスト画像領域調整部（４）は付加されていなくてもよい。
【００３５】
次に本システム１００の動作について図２〜図４に示すフローチャートを用いて説明する。なお、以下の説明および図面において「ステップ」を「Ｓ」と略記する。
【００３６】
まず、Ｓ１において、前記２次元コード画像生成部（１）が、文字や数字などのデータが２次元の図形パターンで表現された２次元コード画像（Ｃ）を生成し、Ｓ２に進む。
【００３７】
Ｓ２において、前記イラスト画像生成部（２）が、写真、絵、文字、あるいは記号、またはそれらの組み合わせからなるイラスト画像（Ｉ）を生成する。
【００３８】
具体的には、図３のフローチャートに示すように、Ｓ２１にて、スキャナ等により読み取るなどして、イラスト画像（Ｉ）の元となる写真、絵、文字、あるいは記号、またはそれらの組み合わせからなる元データを生成し、Ｓ２２に進む。
【００３９】
Ｓ２２では、グレースケール変換部（２１）が、イラスト画像（Ｉ）の元となる写真、絵、文字、あるいは記号、またはそれらの組み合わせからなる元データをグレースケールに変換し、Ｓ２３に進む。
【００４０】
Ｓ２３では、２階調変換部（２２）が、グレースケール変換部（２１）により変換された元データをモノクロ２階調に変換し、Ｓ２４に進む。
【００４１】
Ｓ２４では、画像補正部（２３）が、２階調変換部（２２）により変換された元データをデフォルメ等の補正を行い、イラスト画像（Ｉ）の生成を終了し、Ｓ３に進む。
【００４２】
Ｓ３において、前記画像合成部（３）は、前記２次元コード画像生成部（１）により生成された２次元コード画像（Ｃ）と、前記イラスト画像生成部（２）により生成されたイラスト画像（Ｉ）とを合成する。
【００４３】
具体的には、図４のフローチャートに示すように、Ｓ３１にて、前記２次元コード画像（Ｃ）上の所定位置に前記イラスト画像（Ｉ）を載せる態様で合成し、Ｓ３２に進む。
【００４４】
Ｓ３２では、カラー変換部（３１）が、前記２次元コード画像（Ｃ）と前記イラスト画像（Ｉ）を合成したものをカラー変換し、Ｓ３３に進む。
【００４５】
Ｓ３３では、レイヤー作成部（３２）が、図６に示すように、前記イラスト画像（Ｉ）の各部分について複数のレイヤーを作成し、Ｓ３４に進む。本実施形態では、イラスト画像（Ｉ）の顔部分について第１レイヤー（Ｉ１）を作成するとともに、イラスト画像（Ｉ）の髪部分の第２レイヤー（Ｉ２）を作成する。
【００４６】
Ｓ３４では、濃度調整部（３３）が、前記イラスト画像の一部分についての濃度を、例えば２次元コード画像Ｃ）の黒セルに対して１％〜４５％となるように調整し、Ｓ３５に進む。本実施形態では、イラスト画像（Ｉ）のレイヤー（Ｉ２）の濃度を２次元コード画像（Ｃ）の黒セルに対して１％〜４５％となるように調整している。
【００４７】
Ｓ３５では、セル追加表示部（３４）が、前記濃度調整部（３３）により濃度を調整した部分に２次元コードのセルの分布パターンを追加表示し、画像合成の処理を終了し、Ｓ４に進む。本実施形態では、イラスト画像（Ｉ）の髪部分の第２レイヤー（Ｉ２）についてセルを追加表示する。
【００４８】
Ｓ４において、前記イラスト画像領域調整部（４）は、前記画像合成部（３）により合成されたイラスト画像（Ｉ）の領域面積が２次元コード画像（Ｃ）の領域面積の１０％〜３０％の範囲内となるようにイラスト画像（Ｉ）の領域を調整し、処理を終了する。
【００４９】
あとは、図７に示すように、イラスト画像（Ｉ）と２次元コード画像（Ｃ）を合成したものを２次元コード印刷媒体としてプリントアウトしたり、あるいはユーザの携帯電話等の情報端末に対して送信する
【００５０】
本システムにより形成された２次元コードは印刷装置により印刷されることにより、図７に示すように、２次元コード印刷媒体が形成される。この２次元コード印刷媒体は文字や数字などの情報がセルの分布パターンで表現された２次元コード画像（Ｃ）に、写真、絵、文字、あるいは記号、またはそれらの組み合わせからなるイラスト画像（Ｉ）が重なるように表示されている。そして、前記イラスト画像（Ｉ）の一部分の濃度が、人の目には認識できるが読取装置には機械認識できない程度の濃度に調整され、当該濃度を調整した部分に２次元コードのセルの分布パターンが追加表示されている。さらに、前記２次元コード印刷媒体は、前記イラスト画像の一部分の濃度が、２次元コード画像の濃いセルの濃度に対して１％〜４５％となるように調整されているがより好ましい。
【００５１】
このように、本発明に係る２次元コード印刷媒体によれば、画像（Ｉ）の濃度調整した部分は人の目に認識されるが、読取装置に機械認識されなくなり、読取装置では当該濃度調整した部分のイラスト画像（Ｉ）が存在しないものとしてみなされる。そして、当該濃度調整した部分にセルの分布パターンが追加表示されることにより２次元コード画像（Ｃ）におけるセルの分布パターンの領域が大きくなる。このため、人の目にはイラスト画像（Ｉ）の全てが認識されながらも、２次元コード画像（Ｃ）の情報読取精度を向上させることができる。しかも、イラスト画像（Ｉ）における色の濃淡によりメリハリが生じるので、さらに２次元コードの外観の意匠性を向上することができる。
【産業上の利用可能性】
【００５２】
本発明は、雑誌、ポスター、カレンダなどの印刷物、あるいはインターネットや携帯電話により表示される２次元コードの作成に利用可能である。
【図面の簡単な説明】
【００５３】
【図１】本実施形態に係るシステムの構成概略図である。
【図２】図１のシステムの動作を示すフローチャートである。
【図３】図２のイラスト画像生成の具体的動作を示すフローチャートである。
【図４】図２の画像合成の具体的動作を示すフローチャートである。
【図５】２次元コード画像とイラスト画像を合成する状態を示す図である。
【図６】イラスト画像のレイヤーを示す図である。
【図７】２次元コード画像とイラスト画像の合成画像を示す図である。
【符号の説明】
【００５４】
１・・・２次元コード画像生成部
２・・・イラスト画像生成部
３・・・画像合成部
３３・・・濃度調整部
３４・・・セル追加表示部
４・・・イラスト画像領域調整部
１００・・・２次元コード作成システム
【図１】
2009042826.tif 000003
【図２】
2009042826.tif 000004
【図３】
2009042826.tif 000005
【図４】
2009042826.tif 000006
【図５】
2009042826.tif 000007
【図６】
2009042826.tif 000008
【図７】
2009042826.tif 000009